(57)【要約】      （修正有）【課題】組立道具が不要であり、持ち運び、設置、撤去が容易であるとともに、遮音性が良好なパーテーションを提供する。【解決手段】室内空間を仕切るパーテーション１０であって、板状の芯材１１と、芯材を収容可能な袋状の表面被覆部材１２と、表面被覆部材の少なくとも一辺に設置され、他のパーテーションと接合可能に構成された接合部材１３とを備える。【選択図】図２
0003224137.tif 000002
【実用新案登録請求の範囲】
【請求項１】
室内空間を仕切るパーテーションであって、
板状の芯材と、
前記芯材を収納可能な袋状の表面被覆部材と、
前記表面被覆部材の少なくとも一辺に設置され、他のパーテーションと接合可能に構成された接合部材と、
を備えることを特徴とするパーテーション。
【請求項２】
前記芯材は、ハニカムボードで構成された、ことを特徴とする請求項１に記載のパーテーション。
【請求項３】
前記表面被覆部材はフェルト製である、ことを特徴とする請求項１または２に記載のパーテーション。
【請求項４】
前記表面被覆部材は、前記芯材を内部に収納可能な全体薄型板状に形成され、底部には、前記芯材を出し入れ可能な開口部が開閉可能に設けられていることを特徴とする請求項１乃至３の何れか１項に記載のパーテーション。
【請求項５】
前記接合部材は、他の２つのパーテーションと接合可能に構成された２列のスライドファスナーで構成される、ことを特徴とする請求項１乃至４の何れか１項に記載のパーテーション。
【考案の詳細な説明】
【技術分野】
【０００１】
本考案は、オフィス、避難所として利用する体育館等の室内空間を仕切るパーテーションに関する。
【背景技術】
【０００２】
従来、オフィス等の室内空間を仕切るパーテーションとしては、強化ダンボール等で組み立てられるものが知られている。このような強化ダンボール製の組立式パーテーションは、同じ形状のダンボール等の板材を複数枚並べ、繋ぎ金具に差し込んで接合させるものであった（例えば、特許文献１を参照。）。
【先行技術文献】
【特許文献】
【０００３】
【特許文献１】実用新案登録第３２０６１６４号公報
【考案の概要】
【考案が解決しようとする課題】
【０００４】
しかしながら、上述の従来技術は、複数枚のダンボール等板材を繋ぎ合わせるための繋ぎ金具が必要であり、その種類も、水平繋ぎ平面用、角面用、上下小口繋ぎ平面用、および角面用等、複数種類があり、パーテーションの持ち運び、設置、撤去に手間がかかる、という問題があった。
【０００５】
また、上述の従来技術は、繋ぎ合わせに上述のような繋ぎ金具を用いるため、隣接させるダンボール等板材の設置姿勢に制約がある、という問題があった。例えば、隣接するダンボール等板材は、直角または真っ直ぐに接合せざるを得ない、という問題があった。
【０００６】
また、上述の従来技術は、ダンボール等板材を用いているため、遮音性が悪い、という問題があった。
【０００７】
本考案は、上述のような実状に鑑みてなされたものであり、組立道具が不要であり、持ち運び、設置、撤去が容易であるとともに、遮音性が良好なパーテーションを提供することが課題である。
【課題を解決するための手段】
【０００８】
上記課題を解決するために、下記のような構成を採用した。
すなわち、請求項１に記載の考案は、室内空間を仕切るパーテーションであって、板状の芯材と、前記芯材を収容可能な袋状の表面被覆部材と、前記表面被覆部材の少なくとも一辺に設置され、他のパーテーションと接合可能に構成された接合部材とを備えることを特徴とする。
【０００９】
本考案により、パーテーションを組み立てるための組立道具が不要となり、パーテーションの持ち運び、設置、および撤去が容易になる。
【００１０】
請求項２に記載の考案は、請求項１に記載の考案であって、前記芯材がハニカムボードで構成されたことを特徴とする。
【００１１】
本考案により、パーテーションが軽いので、持ち運び、設置、および撤去が容易になる。
【００１２】
請求項３に記載の考案は、請求項１または２に記載の考案であって、前記表面被覆部材がフェルト製であることを特徴とする。
【００１３】
本考案により、遮音性が良好となり、パーテーションで仕切られた室内空間内の静寂が保たれる。
【００１４】
請求項４に記載の考案は、請求項１乃至３の何れか１項に記載の考案であって、前記表面被覆部材が、前記芯材を内部に収納可能な全体薄型板状に形成され、底部には、前記芯材を出し入れ可能な開口部が開閉可能に設けられていることを特徴とする。
【００１５】
本考案により、表面被覆部材への芯材の出し入れが容易になる。
【００１６】
請求項５に記載の考案は、請求項１乃至４の何れか１項に記載の考案であって、前記接合部材が、他の２つのパーテーションと接合可能に構成された２列のスライドファスナーで構成されることを特徴とする。
【００１７】
本考案により、隣接するパーテーション間の設置角度の自由度が高くなり、変形した室内空間に仕切ることができる。
【考案の効果】
【００１８】
本考案によれば、パーテーションを組み立てるための組立道具が不要となり、パーテーションの持ち運び、設置、および撤去が容易になり、特に、芯材がハニカムボードで構成されたことにより、パーテーションが軽くなり、更に持ち運び、設置、および撤去が容易になる、という効果を奏する。
【００１９】
また、本考案によれば、表面被覆部材がフェルト製であることにより、遮音性が良好となり、パーテーションで仕切られた室内空間内の静寂が保たれる、という効果を奏する。
【００２０】
また、本考案によれば、接合部材が、他の２つのパーテーションと接合可能に構成された２列のスライドファスナーで構成されることにより、隣接するパーテーション間の設置角度の自由度が高くなり、変形した室内空間に仕切ることができる、という効果を奏する。
【図面の簡単な説明】
【００２１】
【図１】本考案の実施形態に係るパーテーションの斜視図である。
【図２】本考案の実施形態に係るパーテーションの構成を説明するための図である。
【図３】図１中に示す円部分Ａの拡大図である。
【考案を実施するための形態】
【００２２】
以下に図面を参照して、本考案を実施するために好適な実施の形態を例示的に詳しく説明する。ただし、本実施の形態に記載されている構成部品の寸法、材質、形状、その相対配置などは、特に特定的な記載がない限りは、本考案の範囲をそれらのみに限定する趣旨のものではない。
【００２３】
図１は、本考案の実施形態に係るパーテーションの斜視図である。
図１には、４枚のパーテーション１０Ａ、１０Ｂ、１０Ｃ、１０Ｄが接合されている例が示されている。
【００２４】
具体的には、パーテーション１０Ａとパーテーション１０Ｂが隣接して接合されている。パーテーション１０Ａとパーテーション１０Ｂとの接合部分において、パーテーション１０Ａまたはパーテーション１０Ｂとパーテーション１０Ｃとが接合されている。そして、パーテーション１０Ｃは、パーテーション１０Ｃのパーテーション１０Ａまたはパーテーション１０Ｂとの接合部分とは反対側で、パーテーション１０Ｄと接合している。
【００２５】
２枚のパーテーション１０間の接合部分の具体例については、図３を用いて後述する。
【００２６】
図２は、本考案の実施形態に係るパーテーションの構成を説明するための図である。
【００２７】
図２において、パーテーション１０は、芯材１１、表面被覆部材１２、および接合部材１３を備える。
【００２８】
芯材１１は、板状であり、例えば、幅１０４０ｍｍ、高さ１３００ｍｍ、厚み１９ｍｍである。芯材１１は、例えば、再生紙を使用したハニカムボードで構成される。ハニカムボードとは、例えば、六角形のセルの集合体であり、力学的に優れた構造体の１つである。ハニカムボードで構成された芯材１１は、再生紙を使用することで、単位重量当たりの強度が最も優れた構造体の１つとなる。
【００２９】
表面被覆部材１２は、芯材１１を内部に収容可能な袋状であり、全体が薄型板状に形成される。表面被覆部材１２は、例えば、ポリエステルフェルト製であるが、これに限らない。羊毛、レーヨン等の天然繊維をプレスで固めたフェルト、ポリエステル等の化学繊維をニードル打ちで固めたフェルト、プレスまたはニードルを用いずに、織って仕上げたフェルトであってもよい。
【００３０】
また、表面被覆部材１２の底部には、芯材１１を出し入れ可能な開口部１４が設けられている。開口部１４は、例えば、面ファスナーにより開閉可能に形成される。面ファスナーを開状態にして芯材１１を挿入し、閉状態にして芯材１１を内部に収容する。
【００３１】
面ファスナーとは、布または合成繊維で着脱自在に形成された一対の面状部材である。一方の面状部材の表面には微小な環構造（ループ）が複数形成され、他方の表面には微小な鉤構造（フック）が複数形成される。環構造と鉤構造とを軽く接触させることでこれらが係合し、両者を簡単に結合させることができる。また、鉤構造が変形する程度の力で両者を引き剥がすことで、簡単に分離させることもできる。
【００３２】
表面被覆部材１２は、様々な色のフェルトを用いることで、仕切られた空間の個性を演出することが可能である。
【００３３】
芯材１１が再生紙を使用したハニカムボードで構成され、表面被覆部材１２にフェルトを用いることで、パーテーション１０の表面に画鋲、ピン等を容易に刺すことができる。
【００３４】
接合部材１３は、表面被覆部材１２の少なくとも一辺、好ましくは、対向する二辺に設置され、１のパーテーション１０を他のパーテーション１０と接合可能に構成される。接合部材１３は、例えば、スライドファスナーである。
【００３５】
スライドファスナーとは、雄側帯状部および雌側帯状部で開閉自在に構成された一対のテープ状部材である。雄側帯状部は、断面が略鏃（やじり）形状の雄側咬合部を有し、雌側帯状部は、雄側咬合部と係脱可能な凹状の雌側咬合部を有している。スライドファスナーは、スライダーを用いて雄側帯状部と雌側帯状部とを咬合させることで閉状態となり、スライダーを用いて雄側帯状部と雌側帯状部との咬合を外すことで開状態となる。
【００３６】
また、接合部材１３は、面ファスナーでもよい。
【００３７】
また、接合部材１３は、プラスチックファスナーでもよい。プラスチックファスナーとは、長手方向に垂直な断面が連続して凸形状を有する部材（凸部材）と、断面が連続して凹形状を有する部材（凹部材）とから構成された一対のライン状部材である。凸部材の凸部と凹部材の凹部とを長手方向に連続して互いに咬み合わせたり、離したりすることによって開閉できる。例えば、凸部材および凹部材の材質は、一定の柔軟性を有するポリオレフィン樹脂等である。
【００３８】
図３は、図１中に示す円部分Ａの拡大図である。
【００３９】
図３において、パーテーション１０Ａ、１０Ｂおよび１０Ｃは、接合部材１３として、他の２つのパーテーション１０と接合可能に構成された２列のスライドファスナー１３を備える。
【００４０】
パーテーション１０Ａが備えるスライドファスナー１３の雄側帯状部または雌側帯状部と、パーテーション１０Ｃが備えるスライドファスナー１３の雌側帯状部または雄側帯状部とが咬合している。これにより、パーテーション１０Ａとパーテーション１０Ｃは、隣接して接合されている。
【００４１】
また、  パーテーション１０Ｂが備えるスライドファスナー１３の雄側帯状部または雌側帯状部と、パーテーション１０Ｃが備えるスライドファスナー１３の雌側帯状部または雄側帯状部とが咬合している。これにより、パーテーション１０Ｂとパーテーション１０Ｃは、隣接して接合されている。
【００４２】
その結果、パーテーション１０Ａとパーテーション１０Ｂは、隣接して接合されている。
【００４３】
以上、本実施の形態を説明したが、本考案は、本実施の形態に限定されることなく、その要旨を逸脱しない範囲内で種々の変形実施をすることが可能である。
【００４４】
例えば、上述の実施形態では、接合部材１３が２列のスライドファスナー１３で構成される例を示したが、接合部材１３は、他の３つのパーテーション１０と接合可能に構成された３列のスライドファスナー１３で構成されることもできる。これにより、パーテーション１０の設置角度の自由度が高くなり、４つの空間に仕切ることができる。
【産業上の利用可能性】
【００４５】
本考案は、室内空間を仕切るパーテーションに関するものであり、広く産業上の可能性を有している。
【符号の説明】
【００４６】
１０      パーテーション
１１      芯材
１２      表面被覆部材
１３      接合部材
１４      開口部
【図１】
0003224137.tif 000003
【図２】
0003224137.tif 000004
【図３】
0003224137.tif 000005